(57)【要約】【課題】網戸枠（２）に、内カバー（Ｂ）と外カバー（Ａ）を取り付け、開口（Ｅ）の位置を交互にした事で、目隠し効果ができ、夜間でも屋内が見透かされなくなり、内カバー（Ｂ）と外カバー（Ａ）の間を開ける事で、通風性を損なわずに使用でき、サッシ枠（８）とカバー枠（Ｃ）をつなぐストッパー（Ｇ）を付けることで、網戸とサッシが固定され、夏の涼しい夜間でもカーテンを使用して、ドア閉め、エアコンを使用する必要が無く、経済的に網戸だけで使用出来る、目隠し用網戸カバーを提供する。【解決手段】網戸枠（２）の外側の枠と内側の枠に、接着効果の高い両面テープ（Ｈ）又は、ねじ（Ｆ）で簡単に取り付けができ、図１に示されるように、外カバー（Ａ）及び、内カバー（Ｂ）を取り付けることを特徴とする。【選択図】  図１
2004225372.tif 000002
【特許請求の範囲】
【請求項１】
網戸枠（２）の外側の枠と内側の枠に、接着効果の高い両面テープ（Ｈ）又は、ねじ（Ｆ）で簡単に取り付けが出来る、外カバー（Ａ）及び、内カバー（Ｂ）からなる、目隠し用網戸カバー。
【請求項２】
前記、外カバー（Ａ）及び、内カバー（Ｂ）は、横方向の開口（Ｅ）を縦方向に一定の間隔で、多数設け、外カバー（Ａ）の開口（Ｅ）の高さの位置を内カバー（Ｂ）の上下に隣接する、開口（Ｅ）の間に位置するように、交互に設けた、請求項１に記載の目隠し用網戸カバー。
【請求項３】
前記、内カバー（Ｂ）は板状であり、かつ、外カバー（Ａ）は突出し、外側に奥行きを設たせた出窓状であり、その上、前記内カバー（Ｂ）及び外カバー（Ａ）の外周枠（Ｃ）が前記網戸枠（２）の内側の枠と外側の枠にそれぞれ当たるようにした、請求項１又は２に記載の目隠し用網戸カバー。
【請求項４】
前記、内カバー（Ｂ）及び外カバー（Ａ）の外周枠（Ｃ）には、矩形状の切り取り部分（Ｄ）が二重、三重、と複数設けてあり、切り取り部分（Ｄ）を介して、それより外側を切り取ることにより、カバーのサイズを変更可能にした、請求項１乃至３のうちいずれか一つに記載の目隠し用網戸カバー。
【発明の詳細な説明】
【０００１】
【発明の属する技術分野】
この発明は、網戸の通風性を妨げることのなく、目隠し効果と防犯効果のある、目隠し用網戸カバーに関するものである。
【０００２】
【従来の技術】
従来のすだれ付き網戸、夜間は見透かされている。
（例えば、特許文献１参照。）。
又、防犯の役目を果たす網戸は、網部を破かれやすい。
（例えば、特許文献２参照。）。
【０００３】
【特許文献１】特開２００２−２４２５６４号公報（第６貢、図１）
【特許文献２】特開１１−９３５４７号公報（第６貢、図１）
【０００４】
【発明が解決しようとする課題】
すだれ付き網戸や防犯の役目を果たす網戸やカーテン又はブラインドは、次のような欠点があった。
特開２００２−２４２５６４号公報（第６貢、図１）のすだれ付き網戸は目隠し効果が有り、通風性を妨げないとあるが、目隠し効果は、明るい所から暗い所を見た時のみ、効果が有り、夜間は屋外から屋内が見透かされている、通風性もすだれと網戸を重ねて使用するため、あまり期待できない。
特開１１−９３５４７号公報（第６貢、図１）の防犯の役目をはたす網戸は侵入を防ぐと有りますが、さく、以外の部分が網部なので、簡単に破かれ、カギを開け侵入でき、あまり効果が期待出来ません。
レースのカーテンは網戸に比べ、通風性が欠け、昼間の使用はできますが、夜間になると屋内が見透かされ、カーテンを使用しなければなりません。カーテンを二重に使用すると、網戸の通風性の妨げとなる。
ブラインドは角度により、屋内が見透かされ、風の強い日は勝手に羽根を閉じてしまい、羽根が折れる原因となり、掃除も大変です。
夜間、網戸だけ使用して寝ると泥棒に網戸を破られ、簡単に侵入されるため、夏の涼しい夜でも、寝る時は、戸締りをして、エアコンを使用しているので、体調や経済的にも、問題があった。本発明は、以上の欠点を解決するためのものである。
【０００５】
【課題を解決するための手段】
本発明は、  網戸枠（２）の外側の枠と内側の枠に、接着効果の高い両面テープ（Ｈ）又は、ねじ（Ｆ）で簡単に取り付けが出来る、外カバー（Ａ）及び、内カバー（Ｂ）からなる、目隠し用網戸カバーを提供することにより上記課題を解決したものである。
本発明は、前記、外カバー（Ａ）及び、内カバー（Ｂ）は、横方向の開口（Ｅ）を縦方向に一定の間隔で、多数設け、外カバー（Ａ）の開口（Ｅ）の高さの位置を内カバー（Ｂ）の上下に隣接する、開口（Ｅ）の間に位置するように、交互に設けた、請求項１に記載の目隠し用網戸カバーを提供することにより上記課題を解決したものである。
本発明は、前記、内カバー（Ｂ）は板状であり、かつ、外カバー（Ａ）は突出し、外側に奥行きを設たせた出窓状であり、その上、前記内カバー（Ｂ）及び外カバー（Ａ）の外周枠（Ｃ）が前記網戸枠（２）の内側の枠と外側の枠にそれぞれ当たるようにした、請求項１又は２に記載の目隠し用網戸カバーを提供することにより上記課題を解決したものである。
本発明は、前記、内カバー（Ｂ）及び外カバー（Ａ）の外周枠（Ｃ）には、矩形状の切り取り部分（Ｄ）が二重、三重、と複数設けてあり、切り取り部分（Ｄ）を介して、それより外側を切り取ることにより、カバーのサイズを変更可能にした、請求項１乃至３のうちいずれか一つに記載の目隠し用網戸カバーを提供することにより上記課題を解決したものである。
本発明は、以上の構成よりなる目隠し用網戸カバーである。
【０００６】
【発明の実施の形態】
以下、本発明の実施の形態について説明する。
網戸枠（２）の外側の枠と内側の枠に、接着効果の高い両面テープ（Ｈ）又は、ねじ（Ｆ）で簡単に取り付けができ、図１に示されるように、外カバー（Ａ）及び、内カバー（Ｂ）からなる、目隠し用網戸カバーです。両面テープ（Ｈ）は、取り付けが簡単ですが、ハガス時は、とても手間がかかり、泥棒にも、とても効果があり、手間のかかる家は、最初から狙いません、もし、侵入するため、外カバー（Ａ）を外され、網部（３）を破られても、内カバー（Ｂ）があり、侵入が出来ないようになっています、泥棒は一軒家の場合６０％以上は窓からの侵入なので、防犯にも効果のある目隠し用網戸カバーである。
外カバー（Ａ）及び、内カバー（Ｂ）は、横方向の開口（Ｅ）を縦方向に一定の間隔で、多数設け、内カバー（Ｂ）の開口（Ｅ）の高さの位置を外カバー（Ａ）の上下に隣接する、開口（Ｅ）の間に位置するように、交互に設けてある事で、図２に示されるように、目隠し効果ができた、目隠し用網戸カバーである。
内カバー（Ｂ）は板状であり、かつ、外カバー（Ａ）は突出し、外側に奥行きを設たせた、出窓状にした事で、カバーとカバーの間に、すき間ができ、風を取りこみやすくしたカバーです。内カバー（Ｂ）と外カバー（Ａ）を一体化して外側に取り付けても、効果が有りますが、泥棒に外から外され簡単に侵入されてしまうので、前記内カバー（Ｂ）及び外カバー（Ａ）の外周枠（Ｃ）が前記網戸枠（２）の内側の枠と外側の枠にそれぞれ分けて当たるようにした、目隠し用網戸カバーである。
前記、内カバー（Ｂ）及び外カバー（Ａ）の外周枠（Ｃ）には、図５又は図６に示されるように、矩形状の切り取り部分（Ｄ）が二重、三重、と複数設けてあり、切り取り部分（Ｄ）を介して、それより外側を切り取ることにより、網戸枠（２）の大きさに応じ多少のカバーのサイズを変更可能にした、目隠し用網戸カバーである。
内カバー（Ｂ）は、プラスチック材で厚さは１ｍｍ〜３ｍｍで開口（Ｅ）には、手を切らないように加工して、屋内が暗くならないようにし、色は明るい色を使い、内カバー（Ｂ）は、平で薄く加工し、外カバー（Ａ）は、例えば、１センチ以上奥行きを設けて形成する。
内カバー（Ｂ）の屋内側に、図３又は図４に示されるように、Ｌの字の形で金属製のストッパー（Ｇ）をサッシの枠（８）に４ヶ所、ねじで固定して、動かないように固定します。
本発明は以上のような構成されているので、これを使用するときは、網戸、正面のドアを開けて、風の調整をすればいい。
【０００７】
【発明の効果】
１  網戸枠  にカバーを付けた事で、目隠し効果が生まれた。
２  カバーに開口を設けたことで、通風性が生まれた。
３  カバーとカバーのすき間を開けた事で、風が取り入れやすくなった。
４  カバーを外と内に分けた事で、防犯効果が生まれた。
５  切り取り部分を設けた事で、網戸に合せ多少の調整が可能になった。
６  ストッパーを設けたことで、網戸のみで使用出来るようになった。
網戸枠（２）に、内カバー（Ｂ）と外カバー（Ａ）を取り付け、開口（Ｅ）の位置を交互にした事で、目隠し効果ができ、夜間でも屋内が見透かされなくなり、内カバー（Ｂ）と外カバー（Ａ）の間を開ける事で、通風性が生まれ、サッシ枠（８）とカバー枠（Ｃ）をつなぐストッパー（Ｇ）を付けることで、網戸とサッシが固定され、夏の涼しい夜間でもカーテンを使用して、ドア閉め、エアコンを使用する必要が無く、経済的に網戸だけで使用が出来ます。例えば、泥棒に外カバーを外されても、内カバーが有るので安心です。
【図面の簡単な説明】
【図１】本発明の分解斜視図である。
【図２】本発明の断面図である。
【図３】本発明の屋内側から見たストッパーの取り付け状態の正面図である。
【図４】本発明の屋内側から見たストッパー周辺の拡大図である。
【図５】本発明の切り取り部分の正面図である。
【図６】本発明の切り取り図の拡大図である。
【符号の説明】
１  網戸
２  網戸枠
３  網部
４  上枠
５  縦枠
６  下枠
７  縦枠
８  サッシ枠
Ａ  内カバー
Ｂ  外カバー
Ｃ  カバー枠
Ｄ  切り取り部分
Ｅ  開口
Ｆ  ねじ
Ｇ  ストッパー
Ｈ    両面テープ
Ｉ    不要枠
【図１】
2004225372.tif 000003
【図２】
2004225372.tif 000004
【図３】
2004225372.tif 000005
【図４】
2004225372.tif 000006
【図５】
2004225372.tif 000007
【図６】
2004225372.tif 000008